(57)【特許請求の範囲】
【請求項１】
おむつを、水と該水中の全硬度成分（但し水の硬度が１°ＤＨ未満の場合は、該水中の全硬度成分の量は１°ＤＨとする）を捕捉するために必要な量の理論値の２倍以上の量の水溶性キレート剤とを含有するｐＨ１０以上のアルカリ性洗浄液（Ａ）で予備洗浄した後、水と該水中の全硬度成分（但し水の硬度が１°ＤＨ未満の場合は、該水中の全硬度成分の量は１°ＤＨとする）を捕捉するために必要な量の理論値の２倍以上の量の水溶性キレート剤と漂白剤とを含有する含有するｐＨ１０以上のアルカリ性洗浄液（Ｂ）を５０℃以上の温度で用いて本洗浄するおむつの洗浄方法であって、
洗浄液（Ａ）及び／又は（Ｂ）が、下記一般式（Ｉ）で表される非イオン界面活性剤を含有する、
おむつの洗浄方法。
Ｒ1−Ｏ−(ＥＯ)o−(ＰＯ)p−(ＥＯ)q−Ｈ        （Ｉ）
〔式中、Ｒ1は平均炭素数８〜１８のアルキル基又はアルケニル基を示し、ＥＯはオキシエチレン基、ＰＯはオキシプロピレン基を示す。ｏ、ｐ、ｑはそれぞれ平均付加モル数を表し、ｏ＞０、ｑ＞０、ｐ＝１〜６であり、且つｏ＋ｐ＋ｑ＝４〜２０である。〕
【請求項２】
水溶性キレート剤が、エチレンジアミンテトラ酢酸、ヒドロキシエチルエチレンジアミントリ酢酸、ジエチレントリアミンペンタ酢酸、ニトリロトリ酢酸、トリエチレンテトラミンヘキサ酢酸、ホスホン酸、トリポリリン酸、エチレングリコールビス（２−アミノエチルエーテル）テトラ酢酸、クエン酸、マレイン酸、ポリアクリル酸、イソアミレン−マレイン酸共重合体、アクリル酸−マレイン酸共重合体、アクリル酸−メタクリル酸共重合体、グルコン酸、ヒドロキシベンジルイミノジ酢酸、イミノジ酢酸及びこれらの塩から選ばれる一種以上である請求項１記載の洗浄方法。
【請求項３】
漂白剤が、次亜塩素酸又はその塩、ジクロルイソシアヌル酸又はその塩、トリクロルイソシアヌル酸、サラシ粉、高度サラシ粉、亜塩素酸又はその塩、過酸化水素、過炭酸塩及び過硼酸塩から選ばれる一種以上である請求項１又は２記載の洗浄方法。
【発明の詳細な説明】
【０００１】
【発明の属する技術分野】
本発明は、貸しおむつなど一般の洗濯衣料とは異なる特殊な糞便汚れが付着したおむつを洗浄する方法に関する。
【０００２】
【従来の技術及び発明が解決しようとする課題】
おむつに付着した糞便汚れは、非常に落としにくい汚れであるため、通常は先ず水による予備洗浄が行われ、その後、本洗浄として、洗剤、アルカリ剤、漂白剤を併用して６０〜８０℃の高温で洗浄が行われている。しかし、それだけでは汚れの除去が不十分であり、再洗浄が行われている場合が多い。
【０００３】
本洗浄及び再洗浄で除去されずに残存した汚れは乾燥工程を通過することで更に除去が困難となることが多く、汚れをよく除くことのできる洗浄剤もしくは洗浄方法の出現が望まれてきた。
【０００４】
例えば、特開昭６３−１９００７４号公報には、おむつを、水溶性高分子を含有するアルカリ溶液で予備洗浄後、塩素系漂白剤を含む洗浄液で本洗浄する方法が提案されているが、その洗浄効果は未だ満足できるものではない。
【０００５】
【課題を解決するための手段】
本発明は、おむつを、水と該水中の全硬度成分（但し水の硬度が１°ＤＨ未満の場合は、該水中の全硬度成分の量は１°ＤＨとする）を捕捉するために必要な量の理論値の２倍以上の量の水溶性キレート剤とを含有するｐＨ１０以上のアルカリ性洗浄液（Ａ）で予備洗浄した後、水と該水中の全硬度成分（但し水の硬度が１°ＤＨ未満の場合は、該水中の全硬度成分の量は１°ＤＨとする）を捕捉するために必要な量の理論値の２倍以上の量（以下、「理論値の２倍以上の量」と表記する）の水溶性キレート剤と漂白剤とを含有する含有するｐＨ１０以上のアルカリ性洗浄液（Ｂ）を５０℃以上の温度で用いて本洗浄するおむつの洗浄方法に関する。洗浄液（Ａ）、（Ｂ）のｐＨは洗浄時の温度におけるｐＨであることが好ましい。
【０００６】
【発明の実施の形態】
本発明者らは、糞便汚れの付着したおむつの完全な洗浄には、上記に示す２段階の洗浄方法が有効であることを見出した。
【０００７】
即ち、本発明のおむつの洗浄方法は、第１段階として、先ず被洗物を、理論値の２倍以上の量の水溶性キレート剤を含有するｐＨ１０以上のアルカリ性洗浄液〔以下、洗浄液（Ａ）という〕で予備洗浄し、汚れをほぼ洗い落とし、次に第２段階として漂白剤と理論値の２倍以上の量の水溶性キレート剤とを含有するｐＨ１０以上、温度５０℃以上のアルカリ性洗浄液〔以下、洗浄液（Ｂ）という〕を用いて本洗浄することを特徴とする洗浄方法であり、かかる洗浄方法によれば糞便に由来する黄色汚れをほとんど完全に除去でき清浄なおむつが得られる。また、本発明の洗浄方法によれば従来のように本洗浄を何回も繰り返す必要もない。
【０００８】
本発明においては、第１段階（予備洗浄）で、理論値の２倍以上の量の水溶性キレート剤を含有するｐＨ１０以上の洗浄液（Ａ）による予備洗浄が行われる。水溶性キレート剤を理論値の２倍以上の量で含有しないアルカリ溶液で予備洗浄した場合は糞便汚れを十分に除くことができない。また、本発明においては第１段階のみでは糞便汚れを除くことはできないが、第２段階として漂白剤と理論値の２倍以上の量の水溶性キレート剤とを含むｐＨ１０以上、温度５０℃以上の洗浄液（Ｂ）で洗浄する本洗浄工程を行うことでおむつの糞便汚れをほとんど完全に除去することができる。
【０００９】
洗浄液（Ａ）、（Ｂ）に使用される水溶性キレート剤としては、エチレンジアミンテトラ酢酸、ヒドロキシエチルエチレンジアミントリ酢酸、ジエチレントリアミンペンタ酢酸、ニトリロトリ酢酸、トリエチレンテトラミンヘキサ酢酸、ホスホン酸、トリポリリン酸、エチレングリコールビス（２−アミノエチルエーテル）テトラ酢酸、クエン酸、マレイン酸、ポリアクリル酸、イソアミレン−マレイン酸共重合体、アクリル酸−マレイン酸共重合体、アクリル酸−メタクリル酸共重合体、グルコン酸、ヒドロキシベンジルイミノジ酢酸、イミノジ酢酸及びこれらの塩から選ばれる一種以上が好ましい。中でも、エチレンジアミンテトラ酢酸、トリポリリン酸及びこれらの塩から選ばれる一種以上が好ましい。水溶性キレート剤は、洗浄液（Ａ）あるいは（Ｂ）中の硬度成分を全て捕捉する理論値の２倍以上で用いられるが、好ましくは理論値の２〜５倍である。また、洗浄液（Ａ）と（Ｂ）で用いるキレート剤の種類は異なっていても良いが、同じ方が好ましい。
【００１０】
水中の硬度成分とは、カルシウム及びマグネシウムであり、全硬度成分の量は、ドイツ硬度、アメリカ硬度等により、単位水量中のカルシウム化合物の濃度で表現される。ドイツ硬度は全硬度成分をＣａＯに換算した量をｍｇ／水１００ｍｌで表し（単位：°ＤＨ）、アメリカ硬度は全硬度成分をＣａＣＯ3に換算した量をｍｇ／Ｌで表す（単位：ｐｐｍ）ものである。両者には、アメリカ硬度（ｐｐｍ）＝ドイツ硬度（°ＤＨ）×１７．８５の関係がある。
【００１１】
一方、キレート剤は、電気伝導度滴定法等により、その化合物の単位重量あたりのＣａＣＯ3の捕捉量を知ることができるので、水の硬度と、キレート剤のＣａＣＯ3捕捉量とから、対象となる水中の全硬度成分を捕捉するために必要なキレート剤の量の理論値を計算することができる。例えば、トリポリリン酸ナトリウムはＣａＣＯ3捕捉量が４６０ｍｇ／ｇであるので、硬度が６°ＤＨ（全硬度成分濃度はＣａＣＯ3として１０７．１ｍｇ／Ｌ）の水を用いる場合、全硬度成分を捕捉するためには、この水１Ｌあたり０．２３３ｇ（１０７．１／４６０で算出）が必要である。この量が理論値である。なお、洗浄液の調製に用いる水の硬度が１°ＤＨ未満の場合は、該水中の全硬度成分の量は１°ＤＨであるものとする。洗浄液（Ａ）、（Ｂ）は、水に、該水中の全硬度成分を捕捉するために必要な量の理論値の２倍以上の量の水溶性キレート剤を添加して得られる。
【００１２】
また、洗浄液（Ａ）、（Ｂ）はｐＨ１０以上とするためにアルカリ剤を含有する。アルカリ剤としては、１号珪酸ナトリウム、２号珪酸ナトリウム、３号珪酸ナトリウム、炭酸ナトリウム、水酸化ナトリウム、水酸化カリウム、セスキ炭酸ナトリウム、ホウ酸ナトリウム、オルト珪酸ナトリウム、メタ珪酸ナトリウム等が挙げられる。これらアルカリ剤は、洗浄液（Ａ）、（Ｂ）が使用時の温度においてｐＨ１０以上となれば、任意の濃度で用い得るが、本洗浄での洗浄効果、排水の面から、洗浄液（Ａ）又は（Ｂ）中０．０１〜１重量％の範囲が適切である。
【００１３】
洗浄液（Ａ）は２０〜７０℃、更に３０〜６０℃、特に４０〜５０℃の温度で用いられるのが好ましい。また、予備洗浄の洗浄時間は５〜１５分が好ましい。
【００１４】
第２段階の本洗浄は、漂白剤と前記水溶性キレート剤とを含むｐＨ１０以上の洗浄液（Ｂ）を５０℃以上の温度で用いて常法と同様に実施し得る。洗浄液（Ｂ）に用いられる漂白剤としては、過酸化水素、過硼酸ナトリウム等の過硼酸塩、過炭酸ナトリウム等の過炭酸塩、芒硝／食塩／Ｈ2Ｏ2付加体、尿素／Ｈ2Ｏ2／石こう付加体、モノ過硫酸カリウムなどの無機過酸化物、ドデカンジ過酸（ＤＰＤＡ）、モノ過フタル酸（モノ過フタル酸マグネシウム塩・６水塩として市販されている）などの有機過酸化物、及び次亜塩素酸塩、塩素化イソシアヌル酸などの塩素系漂白剤のいずれも使用できる。中でも過酸化水素、過炭酸塩（特に過炭酸ナトリウム）及び過硼酸塩（特に過硼酸ナトリウム）から選ばれる一種以上が好ましい。
【００１５】
洗浄液（Ｂ）中の漂白剤の濃度は、酸素系漂白剤の場合有効酸素として０．００１〜０．５重量％、好ましくは０．００５〜０．１重量％、塩素系漂白剤の場合有効塩素として０．００５〜０．３重量％、好ましくは０．０１〜０．１重量％である。
【００１６】
洗浄液（Ｂ）は、洗浄力の面から、界面活性剤やビルダーあるいはこれらを含む洗剤を含有することが好ましい。界面活性剤としては、非イオン界面活性剤、陽イオン界面活性剤、両性界面活性剤及び陰イオン界面活性剤から選ばれる一種以上が好ましい。
【００１７】
非イオン界面活性剤としては、ソルビタン脂肪酸エステル、ポリオキシアルキレンソルビタン脂肪酸エステル、ポリオキシアルキレン脂肪酸エステル、グリセリン脂肪酸エステル、ポリオキシアルキレングリセリン脂肪酸エステル、ポリグリセリン脂肪酸エステル、ポリオキシアルキレンポリグリセリン脂肪酸エステル、ショ糖脂肪酸エステル、樹脂酸エステル、ポリオキシアルキレン樹脂酸エステル、ポリオキシアルキレンアルキルエーテル、ポリオキシアルキレンアルキルフェニルエーテル、アルキル（ポリ）グリコシド、ポリオキシアルキレンアルキル（ポリ）グリコシド等が挙げられる。好ましくは、窒素原子を含まないエーテル基含有非イオン界面活性剤及びエステル基含有非イオン界面活性剤が挙げられる。
【００１８】
陰イオン界面活性剤としては、カルボン酸系、スルホン酸系、硫酸エステル系及びリン酸エステル系界面活性剤が挙げられるが、カルボン酸系及びリン酸エステル系界面活性剤が好ましい。カルボン酸系界面活性剤としては、例えば炭素数６〜３０の脂肪酸又はその塩、多価カルボン酸塩、ポリオキシアルキレンアルキルエーテルカルボン酸塩、ポリオキシアルキレンアルキルアミドエーテルカルボン酸塩、ロジン酸塩、ダイマー酸塩、ポリマー酸塩、トール油脂肪酸塩等が挙げられる。スルホン酸系界面活性剤としては、例えばアルキルベンゼンスルホン酸塩、アルキルスルホン酸塩、アルキルナフタレンスルホン酸塩、ナフタレンスルホン酸塩、ジフェニルエーテルスルホン酸塩、アルキルナフタレンスルホン酸の縮合物塩、ナフタレンスルホン酸の縮合物塩等が挙げられる。硫酸エステル系界面活性剤としては、例えばアルキル硫酸エステル塩、ポリオキシアルキレンアルキル硫酸エステル塩、ポリオキシアルキレンアルキルフェニルエーテル硫酸塩、トリスチレン化フェノール硫酸エステル塩、ポリオキシアルキレンジスチレン化フェノール硫酸エステル塩、アルキルポリグリコシド硫酸塩等が挙げられる。リン酸エステル系界面活性剤として、例えばアルキルリン酸エステル塩、アルキルフェニルリン酸エステル塩、ポリオキシアルキレンアルキルリン酸エステル塩、ポリオキシアルキレンアルキルフェニルリン酸エステル塩等が挙げられる。塩としては、例えば金属塩（Ｎａ、Ｋ、Ｃａ、Ｍｇ、Ｚｎ等）、アンモニウム塩、アルカノールアミン塩、脂肪族アミン塩等が挙げられる。
【００１９】
両性界面活性剤としては、アミノ酸系、ベタイン系、イミダゾリン系、アミンオキサイド系が挙げられる。アミノ酸系としては、例えばアシルアミノ酸塩、アシルサルコシン酸塩、アシロイルメチルアミノプロピオン酸塩、アルキルアミノプロピオン酸塩、アシルアミドエチルヒドロキシエチルメチルカルボン酸塩等が挙げられる。ベタイン系としては、アルキルジメチルベタイン、アルキルヒドロキシエチルベタイン、アシルアミドプロピルヒドロキシプロピルアンモニアスルホベタイン、アシルアミドプロピルヒドロキシプロピルアンモニアスルホベタイン、リシノレイン酸アミドプロピルジメチルカルボキシメチルアンモニアベタイン等が挙げられる。イミダゾリン系としては、アルキルカルボキシメチルヒドロキシエチルイミダゾリニウムベタイン、アルキルエトキシカルボキシメチルイミダゾリウムベタイン等が挙げられる。アミンオキサイド系としては、アルキルジメチルアミンオキサイド、アルキルジエタノールアミンオキサイド、アルキルアミドプロピルアミンオキサイド等が挙げられる。界面活性剤の濃度は、洗浄液（Ｂ）中０．０００１〜０．５重量％が好ましく、更に好ましくは０．００４〜０．０５重量％である。なお、洗浄液（Ａ）も上記界面活性剤を上記同様の範囲で含有することが好ましい。
【００２０】
界面活性剤としては、下記一般式（Ｉ）で表される非イオン界面活性剤が好ましい。この界面活性剤を用いる場合は、洗浄液（Ａ）、（Ｂ）の何れに添加してもよいが、両方が該界面活性剤を含有することが好ましい。
Ｒ1−Ｏ−(ＥＯ)o−(ＰＯ)p−（ＥＯ)q−Ｈ        （Ｉ）
〔式中、Ｒ1は平均炭素数８〜１８のアルキル基又はアルケニル基を示し、ＥＯはオキシエチレン基、ＰＯはオキシプロピレン基を示す。ｏ、ｐ、ｑはそれぞれ平均付加モル数を表し、ｏ＞０、好ましくはｏ＝２〜１０、ｑ＞０、好ましくはｑ＝２〜１０、ｐ＝１〜６、好ましくはｐ＝１〜５であり、且つｏ＋ｐ＋ｑ＝４〜２０、好ましくは６〜１４である。〕。
【００２１】
上記一般式（Ｉ）で表される非イオン界面活性剤は、洗浄液（Ａ）においては０．０００１〜０．５重量％、更に０．００１〜０．０５重量％、洗浄液（Ｂ）においては０．０００１〜０．５重量％、更に０．００１〜０．０５重量％の濃度で用いられることが好ましい。
【００２２】
また、洗浄液（Ｂ）には、任意成分として従来より洗剤に配合することが知られている成分を配合することができる。このような任意成分として、（１）エタノール等のアルコール類、エチレングリコール、分子量２００以上〜数千の低分子量のポリエチレングリコール及びプロピレングリコール等のグリコール類、（２）パラトルエンスルホン酸、安息香酸塩（防腐剤としての効果もある）並びに尿素等の減粘剤や可溶化剤、（３）相調整剤及び洗浄力の向上のためのポリオキシアルキレンベンジルエーテル、ポリオキシアルキレンフェニルエーテル、（４）ポリビニルピロリドン等の色移り防止剤、（５）アミラーゼ、プロテアーゼ、リパーゼ、セルラーゼ等の酵素、（６）塩化カルシウム、硫酸カルシウム、ギ酸、ホウ酸（ホウ素化合物）等の酵素安定化剤、（７）蛍光染料、（８）柔軟性付与を目的としたシリコーン、（９）消泡剤としてのシリカ、シリコーン、（１０）ブチルヒドロキシトルエン、ジスチレン化クレゾール、亜硫酸ナトリウム、亜硫酸水素ナトリウム等の酸化防止剤、（１１）そのほかに青味付け剤、香料、抗菌防腐剤等が挙げられる。なお、洗浄液（Ａ）も上記成分を含有することができる。
【００２３】
洗浄液（Ｂ）は５０℃以上、好ましくは６０〜８０℃、より好ましくは７０〜８０℃の温度で用いられる。また、本洗浄の洗浄時間は１０〜３０分が好ましい。
【００２４】
本発明では、洗浄液を調製する水に対して理論値の２倍以上の量の水溶性キレート剤を用いるため、硬度２〜１４°ＤＨ、特に４〜１０°ＤＨの水を洗浄液（Ａ）及び／又は（Ｂ）の調製に有効に用いることができる。特に井戸水等の水の硬度が高い場合に有効である。
【００２５】
本発明においては、洗浄液（Ａ）による第１段階の洗浄の後、排水を行い第２段階の本洗浄を行っても良いし、あるいは洗浄液（Ａ）による第１段階の洗浄後、排水を行わずに第２段階の本洗浄を行っても良い。本発明の洗浄方法は、予備洗浄、本洗浄、すすぎ等の工程を自動化して連続的に行う洗浄システムに適する。
【００２６】
【発明の効果】
本発明の洗浄方法により、おむつの糞便汚れを有効に除去することができる。
【００２７】
【実施例】
実施例１〜５及び比較例１〜６
木綿ブロードに胆汁色素の主要成分であるビリルビン（和光純薬（株）製）０．０３重量％のクロロホルム溶液を０．５ｍｌ付着させてシミ汚れを作成し、風乾後汚染布とした。
【００２８】
この汚染布を使用し、表１に洗浄液（Ａ）を用いて表１に示す条件で予備洗浄を行い、次いで排水を行った後、表１に示す洗浄液（Ｂ）を用いて表１に示す条件で本洗浄を行い、洗浄率を評価した。評価結果を表１に示す。尚、ビリルビン汚染布の洗浄率は、洗浄前後の布の反射率を測定（測定波長４６０ｎｍ）して次式により算出した。
【００２９】
【数１】
0004439712.tif 000002
【００３０】
【表１】
0004439712.tif 000003
【００３１】
（注）
＊市販洗剤：バイオハーベストリネン用（花王株式会社）
＊ポリアクリル酸ナトリウム：重量平均分子量５０００
＊非イオン界面活性剤（１）：炭素数１２〜１４の直鎖１級混合アルキル基を有するアルコールのエチレンオキサイド平均８モル付加物
＊非イオン界面活性剤（２）：一般式（Ｉ）中のＲ1が平均炭素数１２の１級混合アルキル基、ｏ＝５、ｐ＝２、ｑ＝５のもの